(57)【要約】【課題】  低温における調光制御においても、明るさを確保できる無電極放電ランプ照明装置を提供することを目的とする。【解決手段】  この発明に係る無電極放電ランプ照明装置は、無電極放電ランプ１と、交流電源１１に接続され、無電極放電ランプ１に高周波電圧を印加する調光インバータ３と、交流の調光信号を受けて、オン／オフを行う制御用リレー５と、この制御用リレー５からの交流の調光信号を直流に変換し、調光インバータ３に直流の調光信号を加える制御基板４とを備え、制御用リレー５がオンの場合、制御基板４は４Ｖ以上の直流の調光信号を出力し、調光インバータ３は５０％程度の動作モードとなることを特徴とする。【選択図】        図２
2007026788.tif 000002
【特許請求の範囲】
【請求項１】
無電極放電ランプと、
交流電源に接続され、前記無電極放電ランプに高周波電圧を印加する調光インバータと、
交流の調光信号を受けて、オン／オフを行う制御用リレーと、
この制御用リレーからの前記交流の調光信号を直流に変換し、前記調光インバータに直流の調光信号を加える制御基板とを備え、前記制御用リレーがオンの場合、前記制御基板は４Ｖ以上の前記直流の調光信号を出力し、前記調光インバータは５０％程度の動作モードとなることを特徴とする無電極放電ランプ照明装置。
【発明の詳細な説明】
【技術分野】
【０００１】
この発明は、無電極放電ランプ照明装置に関するもので、特に、低温における調光５０％時の明るさを確保できる無電極放電ランプ照明装置に関する。
【背景技術】
【０００２】
従来より、ガラス管に封入した放電ガスに高周波電磁界を作用させることによって、放電ガスを励起して発光させるようにした無電極放電ランプが知られている。この種のランプは、小型、高出力、長寿命等の特徴を有している。
【０００３】
無電極放電ランプは、アマルガムを例えば排気管に収容して使用しているので、低温における明るさに課題があったが、図６、７に示すように、照明器具２内に収納された無電極放電ランプ１の発光管６の排気管８内にアマルガム９が収容され、且つこの排気管８に覆い１０を施すことにより、低温での全光束が上がり、明るくなることが知られている（例えば、特許文献１参照）。
【特許文献１】特開２００３−３０３５７５号公報
【発明の開示】
【発明が解決しようとする課題】
【０００４】
従来の無電極放電ランプにおいて、無電極放電ランプを調光制御して使用することは行われていない。特に、低温における無電極放電ランプの調光制御についての言及は見当たらない。
【０００５】
この発明は、低温における調光制御においても、明るさを確保できる無電極放電ランプ照明装置を提供することを目的とする。
【課題を解決するための手段】
【０００６】
この発明に係る無電極放電ランプ照明装置は、無電極放電ランプと、交流電源に接続され、無電極放電ランプに高周波電圧を印加する調光インバータと、交流の調光信号を受けて、オン／オフを行う制御用リレーと、この制御用リレーからの交流の調光信号を直流に変換し、調光インバータに直流の調光信号を加える制御基板とを備え、制御用リレーがオンの場合、制御基板は４Ｖ以上の直流の調光信号を出力し、調光インバータは５０％程度の動作モードとなることを特徴とする。
【発明の効果】
【０００７】
この発明に係る無電極放電ランプ照明装置は、上記構成により、低温における調光制御においても明るさを確保できる。
【発明を実施するための最良の形態】
【０００８】
実施の形態１．
図１乃至５は実施の形態１を示す図で、図１は無電極放電ランプ等を収納した無電極放電ランプ用照明器具を示す図、図２は無電極放電ランプ用照明器具の構成を示すブロック図、図３は調光制御の内容を示す図、図４は器具周囲温度−１０℃における無電極放電ランプの明るさ相対値と調光電圧との関係図、図５は無電極放電ランプの調光電圧をパラメータにしたときの明るさ相対値と器具周囲温度との関係図である。
【０００９】
図１に示すように、照明器具２内には、無電極放電ランプ１の他に、調光インバータ３や制御用リレー５等を収納している。現在実用されている無電極放電ランプ１の出力の範囲は、１００〜１５０Ｗ（ワット）である。
【００１０】
図２により、照明器具２内部の構成を詳細に説明する。照明器具２は外部の交流電源１１（例えば、２００Ｖ、５０／６０Ｈｚ）に接続され、交流電源１１から照明器具２内の調光インバータ３に電力が供給される。そして、この調光インバータ３の出力が無電極放電ランプ１に供給される。
【００１１】
この発明の実施の形態の特徴は、照明器具２外部からの調光信号を調光インバータ３に加えることにより、調光制御を行う点にある。
【００１２】
調光信号（例えば、２００Ｖ、５０／６０Ｈｚ）が、先ず制御用リレー５に加えられる。図３に示すように、調光信号がオンの場合は、コイル５ａが励磁されて、接点５ｂがショートになり、制御基板４に調光信号が印加され、制御基板４は、交流を直流に変換した後直流の調光信号を調光インバータ３に加える。調光インバータ３は、調光信号を受けて、５０％動作モードになる（出力を通常の５０％に落とす）。
【００１３】
一方、調光信号がオフの場合は、図３に示すように、接点５ｂがオープンになり、調光インバータ３は１００％動作モードになる。
【００１４】
調光インバータ３では、調光制御が直流制御のため、交流を直流に変換する制御基板４が追加されている。
【００１５】
図４に示すように、照明器具２の周囲温度が−１０℃のとき、調光インバータ３に加える調光電圧（制御基板４の出力電圧）を、４Ｖ以上にすると約６０％の明るさが得られる。
【００１６】
図５に示すように、調光電圧が３Ｖ時は、無電極放電ランプ１のアマルガムチップ温度が上がらないために、照明器具２の周囲温度が低下すると（−１０℃）、無電極放電ランプ１の明るさは極端に低下する。調光電圧が４．５Ｖあれば、約６０％の明るさが得られる。従って、実用的には、調光電圧は４Ｖ以上とする必要がある。
【図面の簡単な説明】
【００１７】
【図１】実施の形態１を示す図で、無電極放電ランプ等を収納した無電極放電ランプ用照明器具を示す図である。
【図２】実施の形態１を示す図で、無電極放電ランプ用照明器具の構成を示すブロック図である。
【図３】実施の形態１を示す図で、調光制御の内容を示す図である。
【図４】実施の形態１を示す図で、器具周囲温度−１０℃における無電極放電ランプの明るさ相対値と調光電圧との関係図である。
【図５】実施の形態１を示す図で、無電極放電ランプの調光電圧をパラメータにしたときの明るさ相対値と器具周囲温度との関係図である。
【図６】従来の無電極放電ランプを用いた照明器具の斜視図である。
【図７】従来の無電極放電ランプの要部拡大図である。
【符号の説明】
【００１８】
１  無電極放電ランプ、２  照明器具、３  調光インバータ、４  制御基板、５  制御用リレー、５ａ  コイル、５ｂ  接点、８  排気管、９  アマルガム、１０  覆い、１１  交流電源。
【図１】
2007026788.tif 000003
【図２】
2007026788.tif 000004
【図３】
2007026788.tif 000005
【図４】
2007026788.tif 000006
【図５】
2007026788.tif 000007
【図６】
2007026788.tif 000008
【図７】
2007026788.tif 000009